(57)【要約】【課題】印刷インキに混ぜてもその色相の変化を肉眼で区別し難いステルス材料を含有する印刷物を、当該ステルス材料を含有しない印刷物と区別する真贋判別方法であって、ある種のステルスインキを選択したならそのステルスインキを含む印刷物を真正印刷物とし、このステルスインキの含まれていない印刷物を偽造印刷物と簡単に判別できる真贋判別方法を提供すること。【解決手段】印刷物を形成するインキのうちの少なくとも一のインキに前記ステルス材料を加えたステルスインキを準備し、このステルスインキで真贋判別領域を印刷するとともに、当該一のインキでこの真贋判別領域以外を印刷し、真贋判別領域において前記ステルス材料の有する特性の有無を判別することで真贋を判別することとした。【選択図】なし【特許請求の範囲】
【請求項１】
印刷インキに混ぜてもその色相の変化を肉眼で区別し難いステルス材料を含有する印刷物を、当該ステルス材料を含有しない印刷物と区別する真贋判別方法であって、
印刷物を形成するインキのうちの少なくとも一のインキに前記ステルス材料を加えたステルスインキを準備し、このステルスインキで真贋判別領域を印刷するとともに、当該一のインキでこの真贋判別領域以外を印刷し、
真贋判別領域において前記ステルス材料の有する特性の有無を判別することで真贋を判別する印刷物の真贋判別方法。
【請求項２】
前記ステルス材料の有する特性が、所定波長域での吸収または反射特性である請求項１記載の真贋判別方法。
【請求項３】
前記印刷物を形成するインキにブラックインキを含む請求項１または請求項２記載の真贋判別方法。
【請求項４】
前記一のインキのもつ色調を示す印刷部位を、前記ステルスインキでの印刷部位と、前記一のインキでの印刷部位とに分けた際に、この両印刷部位が重ならないように作製した前記ステルスインキ用印刷版と、前記一のインキ用の印刷版とで印刷する請求項１〜請求項３何れか１項記載の真贋判別方法。
【請求項５】
前記印刷物を形成するインキがただ一つのインキであり、単色の印刷物を形成する請求項１〜請求項４何れか１項記載の真贋判別方法。
【請求項６】
前記印刷物を形成するインキが複数のインキからなり、２色以上の印刷物を形成する請求項１〜請求項４何れか１項記載の真贋判別方法。
【請求項７】
前記印刷物を形成するインキが複数のインキからなり、ステルス材料を加える一のインキ以外の他の一のインキがステルス材料の有する特性を備えたブラックインキであり、このブラックインキは真贋判別領域を避けて印刷する請求項６記載の真贋判別方法。
【請求項８】
印刷インキに混ぜてもその色相の変化を肉眼で区別し難いステルス材料を含有する印刷物であって、このステルス材料の有する特性の有無を判別し得る真贋判別領域を有し、
前記真贋判別領域は、印刷物を形成するインキのうち、少なくとも一のインキに前記ステルス材料が加わったステルスインキで印刷されており、
前記真贋判別領域以外は、前記一のインキで印刷されている印刷物。
【請求項９】
前記ステルス材料の有する特性が、所定波長域での吸収または反射特性である請求項８記載の印刷物。
【請求項１０】
前記印刷物を形成するインキが複数のインキからなり、その何れか一のインキがブラックインキであり、このブラックインキはステルス材料の有する特性を有しないものである請求項８または請求項９記載の印刷物。
【請求項１１】
真贋判別領域では、前記ステルス材料を含まずかつこのステルス材料の有する特性を備えたブラックインキが印刷されておらず、真贋判別領域以外に当該ブラックインキが印刷された請求項８〜請求項１０何れか１項記載の印刷物。
【発明の詳細な説明】
【技術分野】
【０００１】
本発明は、真贋判別用材料を含む印刷インキで印刷した真正印刷物をその真贋判別用材料を含まない印刷インキで印刷した偽造印刷物と区別するための真贋判別方法と、この真贋判別方法で真正印刷物と判別できる印刷物に関するものである。
【背景技術】
【０００２】
高価な印刷物であるお札や金券、有価証券等では、その価値を損なわないために偽物と区別し得る偽造防止手段が施されている。良く知られている偽造防止手段としては、用紙にすかしを入れたり、線幅のとても小さな細線を施したり、磁気に反応させたり、紫外線蛍光インキを印刷することで紫外線によって絵柄を可視化させたり、赤外線を反射または吸収するインキを印刷することで赤外線による反射または吸収の程度の相違を判断したりする方法がある。そして、特に高価な印刷物については、一つの偽造防止手段だけではなく、複数の偽造防止手段が採用されている場合が多い。
【０００３】
こうした高価な印刷物に限らずとも自己の印刷物を、他者が模倣した印刷物や複写物と区別する方法が求められており、簡単な手段で比較的安価に真贋判別を行うことができれば便利である。真贋判別手段の中では、特殊インキを用いる方法は汎用性が高く、中でもステルスインキを用いる方法が、肉眼による真偽の区別がつかないことから印刷物の価値を損なわずに広い用途で使うことができて大変優れている。
【０００４】
ステルスインキとは、肉眼で判別可能な可視光線波長域以外の波長域に反射または吸収特性を有するインキ等であり、赤外線波長域に反射または吸収特性を有する赤外線ステルスインキや、紫外線波長域に反射または吸収特性を有する紫外線ステルスインキなどがあり、例えば赤外線ステルスインキに関係する技術としては、特開平７−７０４９６号公報（特許文献１）に、赤外線領域に高い吸収性を有する一方で可視光領域では吸収性が低減するインキ組成物が記載されている。
【０００５】
特に最近では、特開平２０１５−１１７３５３号公報（特許文献２）に記載された近赤外線吸収材料のように、印刷インキに混ぜて用いてもその色相が変わらず、肉眼ではこうした材料の混入がほとんどわからない印刷物が得られるようになってきた。
【先行技術文献】
【特許文献】
【０００６】
【特許文献１】特開平７−７０４９６号公報
【特許文献２】特開２０１５−１１７３５３号公報
【発明の概要】
【発明が解決しようとする課題】
【０００７】
しかしながら、ステルスインキを用いる方法は、可視光線波長域以外に反射や吸収があるか否かで真偽を判別し、その反射または吸収を示す波長を区別していないため、異なる種類のステルスインキが用いられている場合には、偽物でも真正印刷物として認識される可能性があった。これは特開２０１５−１１７３５３号公報（特許文献２）に記載された色相変化の少ない材料を用いても同様である。
【０００８】
さらに、ステルスインキそれ自体についてもその技術は進歩しており、将来的にはより所望の目的にかなうステルスインキが見出される可能性があるため、特定のステルスインキに限定された真贋判別方法では意味がない。
【０００９】
そこで本発明はこうした課題に鑑みなされたものであり、ある種のステルスインキを選択したならそのステルスインキを含む印刷物を真正印刷物とし、このステルスインキの含まれていない印刷物を偽造印刷物と簡単に判別できる真贋判別方法とこうした真贋判別方法で真正印刷物と判別できる印刷物を提供することを目的とする。
【課題を解決するための手段】
【００１０】
上記の課題を解決するために、本発明は次の構成を有するものである。
［１］印刷インキに混ぜてもその色相の変化を肉眼で区別し難いステルス材料を含有する印刷物を、当該ステルス材料を含有しない印刷物と区別する真贋判別方法であって、
印刷物を形成するインキのうちの少なくとも一のインキに前記ステルス材料を加えたステルスインキを準備し、このステルスインキで真贋判別領域を印刷するとともに、当該一のインキでこの真贋判別領域以外を印刷し、
真贋判別領域において前記ステルス材料の有する特性の有無を判別することで真贋を判別する印刷物の真贋判別方法である。
［２］前記ステルス材料の有する特性が、所定波長域での吸収または反射特性である前記真贋判別方法である。
［３］前記印刷物を形成するインキにブラックインキを含む前記真贋判別方法である。
［４］前記一のインキのもつ色調を示す印刷部位を、前記ステルスインキでの印刷部位と、前記一のインキでの印刷部位とに分けた際に、この両印刷部位が重ならないように作製した前記ステルスインキ用印刷版と、前記一のインキ用の印刷版とで印刷する前記真贋判別方法である。
［５］前記印刷物を形成するインキがただ一つのインキであり、単色の印刷物を形成する真贋判別方法である。
［６］前記印刷物を形成するインキが複数のインキからなり、２色以上の印刷物を形成する真贋判別方法である。
［７］前記印刷物を形成するインキが複数のインキからなり、ステルス材料を加える一のインキ以外の他の一のインキがステルス材料の有する特性を備えたブラックインキであり、このブラックインキは真贋判別領域を避けて印刷する真贋判別方法である。
【００１１】
［８］印刷インキに混ぜてもその色相の変化を肉眼で区別し難いステルス材料を含有する印刷物であって、このステルス材料の有する特性の有無を判別し得る真贋判別領域を有し、
前記真贋判別領域は、印刷物を形成するインキのうち、少なくとも一のインキに前記ステルス材料が加わったステルスインキで印刷されており、
前記真贋判別領域以外は、前記一のインキで印刷されている印刷物である。
［９］前記ステルス材料の有する特性が、所定波長域での吸収または反射特性である前記印刷物である。
［１０］前記印刷物を形成するインキが複数のインキからなり、その何れか一のインキがブラックインキであり、このブラックインキはステルス材料の有する特性を有しないものである前記印刷物である。
［１１］真贋判別領域では、前記ステルス材料を含まずかつこのステルス材料の有する特性を備えたブラックインキが印刷されておらず、真贋判別領域以外に当該ブラックインキが印刷された前記印刷物である。
【発明の効果】
【００１２】
本発明の真贋判別方法によれば、所望のステルスインキが含まれる印刷インキで印刷された印刷物を真正印刷物と判別し、それ以外の印刷物と簡単に区別することができる。
また、本発明の印刷物によれば、この真贋判別方法によって真正印刷物と判別でき、それ以外の印刷物とは区別し得る印刷物である。
【発明を実施するための形態】
【００１３】
本発明の真贋判別方法は、例えば、イエローインキ、マゼンタインキ、シアンインキからなるプロセスインキと、ある種の特性を有するステルス材料を何れかのプロセスインキに含ませたステルスインキと、を印刷した印刷物を真正印刷物、このステルス材料を含まない印刷物を偽造印刷物と判別する方法である。そして、本発明の印刷物は、この真贋判別方法において真正印刷物とすることができる印刷物である。
以下に、種々の実施形態を挙げて本発明をさらに詳細に説明する。なお、各実施形態において同一の条件や、プロセス、材質、作用、効果等について、重複する部分はその説明を省略する。
【００１４】
＜第１実施形態＞：
本実施形態では、ある種の特性を備えるステルス材料として、近赤外線領域で反射または吸収のピークをもつ分光反射率曲線を描く反射特性を備えた顔料を用いる。なお、ここでの反射特性とはある波長域の光線をそれ以外のベースとなる波長域の光線に比べて反射する性質をいい、吸収特性とはある波長域の光線をそれ以外のベースとなる波長域の光線に比べて吸収する性質をいう。
【００１５】
顔料であるステルス材料Ａは、インキ原料となる樹脂溶液に予め混合し分散させておく。得られた樹脂溶液を白紙上に塗布し乾燥させたときの分光反射率特性は、可視光領域を含む４００ｎｍ以上で９５％以上の反射率を有する。このうち、近赤外線領域である８００ｎｍ付近に反射率が低くなったピークを有する性質を備えている。
【００１６】
プロセスインキは、一般的なプロセスインキを用いることができ、例えば、イエロー、マゼンタ、シアンの色相を有する３種類のカラーインキからなるものである。但し、ステルス材料Ａが近赤外線領域で反射または吸収する反射特性を有するものであるので、プロセスインキは、近赤外線領域で反射または吸収する反射特性を有しないものである必要がある。なお、より厳密に言えば、プロセスインキに近赤外線領域での反射または吸収する反射特性を有していても、ステルス材料Ａと区別し得る反射特性であれば良い。
プロセスインキには、上記３色以外にも、必要により特色インキや、ステルス材料Ａの特性を有していないブラックインキ等を含むものであっても良い。
【００１７】
ステルスインキは、プロセスインキである何れかのカラーインキにステルス材料を含ませて形成したインキであり、ステルス材料を混合していないカラーインキの色相と比べて、肉眼による違いを区別し難く、ほとんど同色といって良いものである。しかしながら、同色とは言えないまでもその相違が少ないものであっても良く、同色に近ければ近いほどステルス材料の混入が分かりにくい優れた印刷物となり、色相の違いが大きくなればそれだけステルス材料の混入が分かり易く偽造され易い印刷物となるのであって、印刷物ごとに求められるグレードに応じて、ステルス材料に求められる程度も異なる。
本実施形態でのステルスインキＡは、予めステルス材料Ａを含む樹脂溶液を作製しているので、この樹脂溶液を前記何れかのカラーインキと混ぜて調製したインキである。
【００１８】
プロセスインキおよびステルスインキＡを印刷する印刷版は、プロセスインキを構成するカラーインキごとに準備するとともに、ステルスインキＡ用のものも準備する。例えば、ステルスインキＡが、イエローインキにステルス材料Ａを含むイエローステルスインキＡであれば、イエローインキ用印刷版と、イエローステルスインキＡ用印刷版で印刷したものが印刷物のイエロー部分を構成するように両印刷版を製版する。換言すれば、イエローインキの印刷部分と、イエローステルスインキＡの印刷部分とが重ならないように両印刷版を形成し、両印刷版で印刷することをもって印刷物のフルカラーを形成するのに必要なイエロー部分を印刷できるようにする。即ち、両印刷版は、目的の印刷物を色分解して形成されるイエロー印刷部分をさらにイエローインキ印刷部分とイエローステルスインキＡ印刷部分とに分けて形成されたものである。
そして、このイエローステルスインキＡで印刷する部分を真贋判別装置で読み取り、ステルス材料Ａのもつ特性の有無を判別するのであって、イエローステルスインキＡの印刷部位を、真贋判別装置でステルス材料Ａの特性の有無を判別できる程度の大きさをもつ真贋判別領域とする。
【００１９】
上記例では、ステルスインキＡとして、イエローインキをベースとしたイエローステルスインキＡについて説明したが、イエローインキにはステルス材料Ａを含ませずに、マゼンタインキにステルス材料Ａを混合させたマゼンタステルスインキＡ、あるいはまたシアンインキにステルス材料Ａを混合させたシアンステルスインキＡとすることもできる。そして、このような場合も、イエローインキでステルスインキＡを調製した場合と同様に、これらのカラーインキでステルスインキＡを調製し、またその印刷版も、イエローステルスインキ印刷版を形成したように、マゼンタステルスインキ用印刷版や、シアンステルスインキ用印刷版をもとのカラーインキ用印刷版とは別に製版する。
【００２０】
ステルスインキＡで印刷する真贋判別領域は、その領域内の全体に（ベタに）イエローステルスインキＡを印刷する必要はなく、この真贋判別領域内でイエローの色相を付与すべき部分（必要な網点部分）に印刷すればよい。一方、ステルス材料Ａを含まないイエローステルスインキＡと同色のイエローインキの印刷部位は、この真贋判別領域の外側部分とし、真贋判別領域内には印刷しないものとする。このように真贋判別領域を定めることで、ステルスインキＡとこれと同色のカラーインキそれぞれの印刷部位の境界が生じるが、ステルスインキＡとこれと同色のカラーインキは、その色相が肉眼で区別が困難なほど近似しているため、あるいは区別できても相違が小さいため、印刷物を目視した際にこの境界を視認することはできず、この境界のない印刷物として認識される。
この真贋判別領域は、一の印刷物内に一つだけ設けても良いし、複数か所設けても良い。
【００２１】
ステルスインキＡとこれと同色のカラーインキ以外は、通常のプロセスインキを印刷する場合と同様に、それぞれのカラーに色分解された必要な部分を印刷する。
このようにして得られた印刷物は、イエローインキとステルスインキＡの境界が区別し難いことに加えて、この真贋判別領域に関係なくマゼンタインキとシアンインキが印刷されるため、より一層、この境界がわからなくなり、ステルス材料を含有しない通常の印刷物と同様の仕上がりとなる。
【００２２】
また、この印刷物は、通常の印刷物と見栄えは同じであるが、ステルスインキＡを印刷した部分である真贋判別領域の近赤外領域の反射または吸収波長を測定すれば、ステルス材料Ａが使われていることがわかり真正印刷物と判別できる。一方で、ステルス材料Ａを用いずに、図柄のみを同様に印刷した印刷物、またはコピーした複写物は、どの部位を測定してもステルス材料Ａの特性を感知できないため、偽造印刷物と判別できる。
【００２３】
そして、近赤外線領域に反射または吸収特性のあるステルス材料Ｘを用いたインキを従来の印刷方法で印刷した印刷物の存在を仮定すると、プロセスインキの何れかの１色にステルス材料Ｘを混入させて印刷するだけであって、ステルス材料Ｘを混入させないこれと同色のプロセスインキは印刷しないで作製するのが通常である。この場合は、ステルス材料Ｘが混入されたカラーインキが印刷される広大な部分にステルス材料Ｘが含まれることになる。そのため、このカラーインキが印刷されない一部分を除き、印刷物の全体でステルス材料Ｘの特性が感知されることになり、偽造印刷物と判別できる。
【００２４】
こうした一方で、ステルスインキ用に印刷版を設け、別印刷するという方法は、透明性が悪く、肉眼で識別できる色相を有するステルス材料しかなかった過去の時代では、ステルスインキの印刷部位がそれ以外の部位と容易に識別できるため、そういう方法自体を採用することができなかった。また、今日のように色相の区別がつかない、または透明性の高いステルス材料が開発された後になっても、色材を混合せずステルス材料のみを原料樹脂に分散させた樹脂インキを作製し、この樹脂インキのみを一つの印刷版から印刷する方法によれば、樹脂インキ層が３色のプロセスインキ層とは別に形成されるため、樹脂インキ層とプロセスインキ層との積層による見栄えの違いが生じてしまうという欠点があった。こうした方法と比較しても、カラーインキにステルス材料を加えたステルスインキを、これを加えないカラーインキとは別に印刷し、両印刷部分を分けるという本発明の方法は、ステルスインキ層が同色のカラーインキ層と積層されないため、こうした欠点を有しない。
【００２５】
印刷版を変更することで、ステルスインキＡとそれと同色のステルスインキＡを含まないカラーインキの印刷か所を適宜変更することができる。換言すれば、真贋判別領域を変更することができる。そのため、最初の１，０００部は、ステルスインキＡの印刷箇所を印刷物の右上隅としておき、偽造印刷物が登場する前に、次の１，０００部は、左下隅に変更するなど、ステルスインキＡとそれと同色のステルスインキＡを含まないカラーインキの印刷箇所は、印刷者の要望で随時変更することができる。
【００２６】
＜第１実施形態の変形例＞：
本実施形態では、ステルスインキＡとは別のステルスインキＡ’を作り、ステルスインキＡの印刷版とは別にステルスインキＡ’の印刷版を作製して印刷する。即ち、先の実施形態では、例として、イエローインキにステルス材料Ａを混ぜたイエローステルスインキＡを作成したが、本実施形態では、これに加え、例えばマゼンタインキにステルス材料Ａを混ぜたマゼンタステルスインキＡを作成する実施形態である。
【００２７】
マゼンタインキとマゼンタステルスインキＡの印刷版は、マゼンタインキ用印刷版と、マゼンタステルスインキＡ用印刷版で印刷したものが印刷物のマゼンタ部分を構成するようにする。即ち、マゼンタインキの印刷部分と、マゼンタステルスインキＡの印刷部分とは重ならないように両印刷版を形成し、両印刷版で印刷することによってはじめて印刷物のフルカラーを形成するのに必要なマゼンタ部分を印刷できるようにする。
【００２８】
さらに、必要であればこれらに加えてシアンインキについても、ステルス材料Ａを混ぜたシアンステルスインキＡを設けてもよい。この場合もこれまでと同様に、シアンインキとシアンステルスインキＡの印刷版は、シアンインキ用印刷版と、シアンステルスインキＡ用印刷版で印刷したものが印刷物のシアン部分を構成するように印刷版を作製する。
【００２９】
本実施形態では、イエローステルスインキＡの印刷部位と、ステルス材料Ａを含有させる第２色目のマゼンタステルスインキＡの印刷部位を適宜決定することができ、さらに、ステルス材料Ａを含有させる第３色目のシアンステルスインキＡを用いるのであればそのシアンステルスインキＡの印刷部位も適宜決定することができる。したがって、それぞれが重ならないように印刷部位を配置することができるし、重なるように印刷部位を配置しても良い。換言すれば、真贋判別領域を色ごとに変えて設けても良いし、同じ領域としても良い。
【００３０】
一態様として、ステルス材料Ａを含むすべてのステルスインキＡを一の真贋判別領域に印刷するようにすることができる。
特に、ステルス材料Ａの透明性が悪く、ベースとするカラーインキの色相が変わり易い材料であるときは、カラーインキに混ぜた際に見た目に影響を与えない程度に同色にするには、混合量を低く抑える必要がある。しかし、ステルス材料Ａの濃度が低いため、単色による印刷部位からはその特性を感知し難い場合がある。こうした場合に、単色だけでなく、他の色相のステルスインキＡでも同じ真贋判別領域内に重ねて印刷すれば、単位面積あたりのステルス材料Ａが含まれる割合が増え、その特性を感知し易くなる。
なお、上記例では、ステルスインキＡとして、イエローステルスインキＡとマゼンタステルスインキＡを用いた例で説明したが、これ以外の色の組合せからなるステルスインキＡとしても良い。
【００３１】
＜第２実施形態＞：
本実施形態は、ステルス材料の有する特性を有しないカラーインキに加え、ステルス材料の有する特性をもつカラーインキを有する場合の真贋判別方法である。ステルス材料として近赤外領域に反射または吸収特性を有するステル材料Ａを用いた場合として説明すれば、この特性と同じ特性、即ち、近赤外線領域に反射または吸収特性をもつカーボンブラックを色材として含むブラックインキを用いる場合が挙げられる。
【００３２】
本実施形態でも先の実施形態で示した方法と同様に、カラーインキにステルス材料Ａを加えたステルスインキＡを作り、ステルスインキＡとステルスインキＡと同色のカラーインキとの印刷部分とは重ならないように両印刷版を形成して印刷する。この際、ステルス材料Ａを含有させるカラーインキとしてブラックインキは選択しない。換言すれば、ステルス材料の有する特性を有するカラーインキには、ステルス材料を加えたステルスインキを作製せず、ステルス材料の有する特性を有しないカラーインキにステルス材料を加えて、ステルスインキを作製する。
そして、本実施形態では、ブラックインキ用の印刷版を形成するが、真贋判別領域にはこのブラックインキを印刷しないように印刷版を製版し印刷する。
【００３３】
このようにして得られた印刷物も前記実施形態で示した方法と同様にして真贋判別を行う。具体的には、通常の印刷物と見栄えは同じであるが、ステルスインキＡを印刷した部分の近赤外領域の反射または吸収波長を測定すれば、ステルス材料Ａが使われていることがわかり真正印刷物と判別できる。一方で、ステルス材料Ａを用いずに、図柄のみを同様に印刷した印刷物、またはコピーした複写物は、ステルスインキＡを印刷した部位以外で近赤外線領域での反射または吸収を感知することがあっても、ステルスインキＡを印刷した部位では、近赤外線領域での反射または吸収を感知することができないため、偽造印刷物と判別できる。
【００３４】
なお、ブラックインキでの印刷部位とステルスインキＡでの印刷部位とを重なるように印刷物を形成すると、その部位での特性の測定は、ステルス材料Ａによる近赤外線領域での反射または吸収特性なのか、偽造印刷物の黒色を与えるカーボンブラックによる近赤外線領域での反射または吸収特性なのか、を区別することができないため、真贋判別は困難となる。
【００３５】
＜その他の変形形態＞：
上記実施形態では、プロセスインキを用いてカラー印刷物を作製し、そのカラー印刷物の真贋を判別するものとしたが、用いるインキをただ一つのインキとし、単色の印刷物を作製するものとしてもよい。
【００３６】
上記実施形態では、インキ原料となる樹脂に対してステルス材料Ａを加えて分散させた樹脂インキを予め作製しておき、この樹脂インキをカラーインキに混ぜるだけでステルスインキを調製していたが、カラーインキ用の色材などを加える際に同時にステルス材料を加えて、原材料からインキを調製する方法でステルスインキを製造しても良い。ステルス材料のカラーインキへの混入のさせ方は、ステルス材料の性質に応じて適宜選択することができる。
また、上記実施形態では、顔料であるステルス材料Ａについて説明したが、それ自体がインキ状の高分子物であったり、金属酸化物微粒子であったりすることも可能であり、顔料に何ら限定されるものではない。
【００３７】
プロセスインキおよびステルスインキは、印刷形態に合わせた印刷インキとすることができ、平版印刷であれば平版印刷用インキとして、またグラビア印刷であればグラビア印刷用インキとして調製したインキを用いることができる。その他の印刷形式の場合も同様である。
【００３８】
上記実施形態では、一般的なプロセスインキが近赤外線領域で反射または吸収特性を有しないことから、この近赤外線領域で反射または吸収特性を有するステルス材料Ａを用いるものとしたが、こうしたステルス材料Ａは添加する対象となるプロセスインキに混合してもその色相が肉眼で変化しない程度のものが好ましいが、その種類や添加量を限定するものではない。
【００３９】
また、ステルス材料の有する特性は、プロセスインキが有していない特性であれば良く、紫外線領域に反射または吸収特性を有するという性質のあるステルス材料Ｂを用いることができる。さらにまた、ステルス材料の有する特性としては、磁気特性や電気特性等々、所定の波長域での反射または吸収特性以外の性質であってもよい。
【００４０】
ステルスインキを印刷する真贋判別領域は、そのステルス材料のもつ所定の特性を測定可能となる範囲で形成すればよく、実施形態で示した所定の波長域での反射または吸収特性であれば、その反射または吸収特性が測定可能な範囲とすればよい。したがって、反射または吸収特性に優れるステルス材料であればステルスインキ中のその濃度を低くし、また真贋判別領域も小面積とすることができる。一方、反射または吸収特性が弱ければ、真贋判別領域を広範囲として、その領域内での反射または吸収特性を測定するなど、ステルス材料の特性に応じて真贋判別領域の広狭を変更することが可能である。
【００４１】
上記実施形態では、真贋判別領域にステルスインキを印刷することを説明したが、真贋判別領域以外にステルスインキが印刷されることを妨げるものではなく、真贋判別領域以外にステルスインキが印刷されていてもよい。また、真贋判別領域にステルスインキ以外のインキが印刷されてもよい。
【００４２】
真贋判別領域の形状は特に限定されるものではなく、例えば円環状の形状に形成することができる。円環状に真贋判別領域を形成すれば、円環より内側を真贋判別領域外とすることができる。この場合のように、真贋判別領域と思われる範囲内に真贋判別領域外が存在してもよい。
【００４３】
上記実施形態は本発明の一例であり、こうした形態に限定されるものではなく、本発明の趣旨に反しない限度において、種々の変更や置換を行い得るものである。